【手続補正書】
【提出日】平成22年1月26日(2010.1.26)
【手続補正１】
【補正対象書類名】特許請求の範囲
【補正対象項目名】全文
【補正方法】変更
【補正の内容】
【特許請求の範囲】
【請求項１】
複数の副搬送波を用いて通信する無線接続システムであって、
少なくとも一つの無線端末からメッセージを受信し、分配システム（Ｄｉｓｔｒｉｂｕｔｉｏｎ  Ｓｙｓｔｅｍ）を介して他のアクセスポイント（ａｃｃｅｓｓ  ｐｏｉｎｔ）と通信する少なくとも一つのアクセスポイントと、
少なくとも一つの連動情報ブローカ（ｉｎｔｅｒｗｏｒｋｉｎｇ  ｂｒｏｋｅｒ）であって、該少なくとも一つの無線端末が該少なくとも一つのアクセスポイントに送信したＳＳＰＮ（Ｓｕｂｓｃｒｉｂｅｒ  Ｓｅｒｖｉｃｅ  Ｐｒｏｖｉｄｅｒ  Ｎｅｔｗｏｒｋ）の情報要請メッセージを該少なくとも一つのアクセスポイントとのインターフェースを介して受信し、該ＳＳＰＮの情報を含むネットワークエンティティとのインターフェースを介して該情報要請メッセージに対応する応答情報を獲得する少なくとも一つの連動情報ブローカと
を含む、無線接続システム。
【請求項２】
前記少なくとも一つのアクセスポイントは、前記少なくとも一つの連動情報ブローカの能力（ｃａｐａｂｉｌｉｔｙ）を表す情報種類（ｉｎｆｏｒｍａｔｉｏｎ  ｔｙｐｅ）を前記少なくとも一つの無線端末に送信する、請求項１に記載の無線接続システム。
【請求項３】
前記少なくとも一つのアクセスポイントは、前記少なくとも一つの連動情報ブローカのＭＡＣ（Ｍｅｄｉｕｍ  Ａｃｃｅｓｓ  Ｃｏｎｔｒｏｌ）住所を表す住所情報を前記少なくとも一つの無線端末に送信する、請求項１に記載の無線接続システム。
【請求項４】
前記少なくとも一つのアクセスポイントは、ビーコン（ｂｅａｃｏｎ）メッセージにおいて前記少なくとも一つの連動情報ブローカの能力（ｃａｐａｂｉｌｉｔｙ）を表す情報種類（ｉｎｆｏｒｍａｔｉｏｎ  ｔｙｐｅ）を含む、請求項１に記載の無線接続システム。
【請求項５】
前記少なくとも一つのアクセスポイントは、ビーコン（ｂｅａｃｏｎ）メッセージにおいて前記少なくとも一つの連動情報ブローカのＭＡＣ（Ｍｅｄｉｕｍ  Ａｃｃｅｓｓ  Ｃｏｎｔｒｏｌ）住所を表す住所情報を含む、請求項１に記載の無線接続システム。
【請求項６】
前記情報要請メッセージは、
前記少なくとも一つの無線端末が送信した動作フレーム（ａｃｔｉｏｎ  ｆｒａｍｅ）である、請求項１に記載の無線接続システム。
【請求項７】
前記動作フレームは、前記少なくとも一つのアクセスポイントにより第２階層メッセージにカプセル化されて前記少なくとも一つの連動情報ブローカに伝達される、請求項６に記載の無線接続システム。
【請求項８】
前記第２階層メッセージは、イーサネット（登録商標）（Ｅｔｈｅｒｎｅｔ（登録商標））フレームまたは有線ランメッセージである、請求項７に記載の無線接続システム。
【請求項９】
前記少なくとも一つの連動情報ブローカは、前記応答情報を第２階層メッセージにカプセル化して該カプセル化した応答情報を前記少なくとも一つのアクセスポイントに伝達する、請求項１に記載の無線接続システム。
【請求項１０】
前記第２階層メッセージは、イーサネット（登録商標）（Ｅｔｈｅｒｎｅｔ（登録商標））フレームまたは有線ランメッセージである、請求項９に記載の無線接続システム。
【請求項１１】
無線ラン網において無線端末が要請した情報を処理する方法であって、
アクセスポイントがネットワークエンティティから情報を獲得することを要請する第１要請メッセージを該アクセスポイントに送信する段階と、
該第１要請メッセージに対する応答が送信される複数の無線端末を識別する住所及び該第１要請メッセージを識別するクエリ識別子（ｑｕｅｒｙ  ＩＤ）を含む第１応答メッセージを該アクセスポイントから受信する段階と、
該第１要請メッセージに基づいて、第２応答メッセージを少なくとも一回受信する段階であって、該第２応答メッセージは、該複数の無線端末を識別する住所を介して識別される少なくとも一つの端末に送信され、該アクセスポイントが該ネットワークエンティティから獲得した情報を含む、段階と
を含む、方法。
【請求項１２】
前記第２応答メッセージは、前記アクセスポイントのビーコン（ｂｅａｃｏｎ）メッセージに含まれる送信時点情報により指示される時点に該アクセスポイントにより送信される、請求項１１に記載の方法。
【請求項１３】
前記送信時点情報は、減少するカウント値を用いて前記第２応答メッセージの送信時点を指示する、請求項１２に記載の方法。
【請求項１４】
前記カウント値が零（０）となる場合、前記第２応答メッセージが送信される、請求項１３に記載の方法。
【請求項１５】
前記カウント値は、前記送信時点情報を含む前記ビーコンメッセージ毎に減少する、請求項１３に記載の方法。
【請求項１６】
前記複数の無線端末を識別する住所は放送住所（ｂｒｏａｄｃａｓｔ  ａｄｄｒｅｓｓ）である、請求項１１に記載の方法。
【請求項１７】
前記複数の無線端末を識別する住所はマルチキャストグループ放送住所（ｍｕｌｔｉｃａｓｔ  ａｄｄｒｅｓｓ）である、請求項１１に記載の方法。
【請求項１８】
前記アクセスポイントにプローブ要請メッセージを送信する段階と、
該アクセスポイントが前記ネットワークエンティティに接続可能か否かを表すプローブ応答メッセージを該アクセスポイントから受信する段階と
をさらに含む、請求項１１に記載の方法。
【請求項１９】
前記アクセスポイントが前記ネットワークエンティティに接続可能か否かを表す前記ビーコンメッセージを受信する段階をさらに含む、請求項１１に記載の方法。
【請求項２０】
前記ネットワークエンティティは、連動情報ブローカ（ｉｎｔｅｒｗｏｒｋｉｎｇ  ｉｎｆｏｒｍａｔｉｏｎ  ｂｒｏｋｅｒ）をさらに含む、請求項１１に記載の方法。
【請求項２１】
前記第２応答メッセージは、前記クエリ識別子を含む、請求項１１に記載の方法。
【請求項２２】
前記ネットワークエンティティから獲得した情報が既設定された大きさを超える場合、
該ネットワークエンティティから獲得した情報は断片識別子（ｆｒａｇｍｅｎｔ  ＩＤ）により識別される複数の断片に分離される、請求項１１に記載の方法。
【請求項２３】
前記断片識別子は、分離される断片の個数が増加することによって増加する、請求項２２に記載の方法。
【請求項２４】
前記第２応答メッセージは、動作フレーム（Ａｃｔｉｏｎ  ｆｒａｍｅ）であり、カプセル化された前記ネットワークエンティティから獲得した情報を含む、請求項１１に記載の方法。
【請求項２５】
無線ラン網において用いられる媒介体接続制御（Ｍｅｄｉｕｍ  Ａｃｃｅｓｓ  Ｃｏｎｔｒｏｌ）フレームであって、
該媒介体接続制御フレームのフレームバディ（ｆｒａｍｅ  ｂｏｄｙ）に制御情報が含まれるか否かを表し、該媒介体接続制御フレームのヘッダ（ｈｅａｄｅｒ）に含まれる種類（ｔｙｐｅ）フィールドと、
該制御情報を含む該フレームバディ（ｆｒａｍｅ  ｂｏｄｙ）と
を含み、
該フレームバディに該制御情報が含まれ、該制御情報の第１部分が全体断片のうちいずれか一つである場合、
該フレームバディは、該第１部分を識別する断片識別子（ｆｒａｇｍｅｎｔ  ＩＤ）及び該第１部分が最終断片であるか否かを識別する最終断片（ｌａｓｔ  ｆｒａｇｍｅｎｔ）フィールドを含む、媒介体接続制御（ＭＡＣ）フレーム。